(57)【要約】      （修正有）【課題】狭い場所でもプレーすることができ、牌本来の感触（重量感や厚み感）が得られ、牌の取扱いが容易で操作性が良く、迅速なプレーを行うことができ、ゲームのやり易さの向上を図ることができる麻雀牌保持具を提供する。【解決手段】横長板状であって、一方の面を牌保持面１０とする。牌載置用下レール部１１と牌載置用中央レール部１３と上レール部１５を形成することで、牌保持面の上下に、複数個の牌Ｓを一列に載置する第１，第２載置部１７，１９を形成する。第２載置部１９は配牌された牌の内で主要と考える牌を載置する載置部であり、第１載置部１７は配牌された牌の内で不要と考える牌を載置する載置部である。牌保持面の左側辺付近に縦レール部２１を形成し、右側辺部分を載置した牌を排出する排出部２３，２５とする。【選択図】図４
0003208841.tif 000002
【実用新案登録請求の範囲】
【請求項１】
配牌された牌を保持する麻雀牌保持具であって、
前記麻雀牌保持具は、横長板状であって、一方の面を牌保持面とし、
前記牌保持面の上下に、それぞれ複数個の牌を横一列に載置する第１、第２載置部を形成したことを特徴とする麻雀牌保持具。
【請求項２】
請求項１に記載の麻雀牌保持具であって、
前記牌保持面の下側に設けた第２載置部は、配牌された牌の内で主要と考える牌を載置する載置部であり、
前記牌保持面の上側に設けた第１載置部は、配牌された牌の内で不要と考える牌を載置する載置部であることを特徴とする麻雀牌保持具。
【請求項３】
請求項１又は２に記載の麻雀牌保持具であって、
前記牌保持面の下辺付近には、長手方向に伸びる牌載置用下レール部が形成され、
前記牌保持面の中央付近には、長手方向に伸びる牌載置用中央レール部が形成され、
前記牌保持面の上辺付近には、長手方向に伸びる上レール部が形成され、
前記牌載置用下レール部から前記牌載置用中央レール部に至る凹状部分が第２載置部であり、
前記牌載置用中央レール部から前記上レール部に至る凹状部分が第１載置部であることを特徴とする麻雀牌保持具。
【請求項４】
請求項３に記載の麻雀牌保持具であって、
前記牌保持面の左右両側辺の内の何れか一方の側辺付近に縦レール部を形成し、
前記牌保持面の他方の側辺部分は、前記第１、第２載置部に載置した牌を排出する排出部としたことを特徴とする麻雀牌保持具。
【請求項５】
請求項４に記載の麻雀牌保持具であって、
前記縦レール部は、手によってこの麻雀牌保持具を把持する把持部であり、且つ前記牌載置用下レール部と前記牌載置用中央レール部と前記上レールよりも高い高さ寸法に形成されていることを特徴とする麻雀牌保持具。
【考案の詳細な説明】
【技術分野】
【０００１】
本考案は、麻雀をプレーする際に用いて好適な麻雀牌保持具に関するものである。
【背景技術】
【０００２】
従来、麻雀は、正方形状の麻雀卓と、多数枚の牌と、点棒と、サイコロとを用意し、前記麻雀卓上に牌山を作り、牌山の外側に、各プレーヤー毎に１４枚ずつの配牌を行い、牌山から１枚ずつ順番に牌を取るとともに、１枚ずつ不要な牌（捨牌）を麻雀卓の牌山よりも中心側に捨てて行きながら役を作ることで、上がりを目指してプレーして行くものである。
【先行技術文献】
【特許文献】
【０００３】
【特許文献１】実用新案登録第３１３１７８４号公報
【特許文献２】実開昭４９−１０６８１号公報
【特許文献３】実公昭０６−１２９８７号公報
【考案の概要】
【考案が解決しようとする課題】
【０００４】
上述のように、正式な麻雀には麻雀卓が必要であり、また麻雀卓の周囲を囲むようにプレーヤーが位置しなければならず、これらのことから、麻雀を行うには、一定の広い場所が必要であった。このため、例えば麻雀卓を置けないような狭い場所等で麻雀を行うことは困難であった。このため、そのような場所でもプレーできる携帯用の麻雀具が求められていた。
【０００５】
この問題を解決するため、例えば特許文献１には、裏面をマグネット面とした牌と、磁石に吸着する材料からなる手持盤と牌山盤と捨牌盤とを具備し、これら手持盤と牌山盤と捨牌盤に牌を吸着させながらプレーする携帯無音麻雀具が提案されている。また特許文献２には、牌に磁石を取り付けると共に、各自の配牌用のそろえ台と、麻雀卓とを金属で構成し、これによって牌を、そろえ台や麻雀卓に吸着させる構成の携帯用麻雀セットが提案されている。しかし、これらの携帯用の麻雀具においては、牌に磁石を用い、これを手持盤やそろえ台等に吸着させる構成なので、牌本来の感触（重量感や厚み感等）が得られず、また吸着させた牌を手持盤等から引き剥がす際に不要な力が必要となって操作性が悪く、これらのことから麻雀をプレーしている実感が失われ、また迅速なプレーが阻害されるという問題があった。
【０００６】
一方、特許文献３には、牌として正規の牌を用いると共に、各自に配牌された複数枚の牌を、横長の板の上に一列に配列させる構成が開示されている。しかし特許文献３の場合、板の上に牌を一列に配列させるだけなので、従来と同様のゲームのやり易さのままであり、例えばゲーム中に、次にどの牌を捨てるかの判断がし易くなる等の、ゲームのやり易さの向上にはつながらなかった。また特許文献３の場合、前記配牌を配列させる横長の板は、麻雀卓上に設置されるものであり、狭い場所での使用に好適な構成とは言えなかった。
【０００７】
本考案は上述の点に鑑みてなされたものでありその目的は、狭い場所でもプレーすることができ、同時に、牌本来の感触（重量感や厚み感等）が得られ、また牌の取扱いが容易で操作性が良く、これらのことから麻雀をプレーしている実感が失われず、また迅速なプレーを行うことができ、さらにゲームのやり易さの向上を図ることができる麻雀牌保持具を提供することにある。
【課題を解決するための手段】
【０００８】
本考案は、配牌された牌を保持する麻雀牌保持具であって、前記麻雀牌保持具は、横長板状であって、一方の面を牌保持面とし、前記牌保持面の上下に、それぞれ複数個の牌を横一列に載置する第１、第２載置部を形成したことを特徴としている。
この麻雀牌保持具を用いれば、大きなスペースを要する麻雀卓が不要になるので、狭い場所でもプレーすることができる。同時に、磁石等を用いない通常型の牌を使用できるので、牌本来の感触（重量感や厚み感等）が得られる。なおもちろん磁石等を用いた牌を使用しても良い。
また牌保持面の上下に第１、第２載置部を形成したので、配牌された牌を保持する際に、牌の重要度等に応じて牌の配置位置を上下に分けることができ、捨牌の選択や、役の仕上がり具合の確認等を容易に行うことができる。
【０００９】
また本考案は、前記牌保持面の下側に設けた第２載置部が、配牌された牌の内で主要と考える牌を載置する載置部であり、前記牌保持面の上側に設けた第１載置部が、配牌された牌の内で不要と考える牌を載置する載置部であることを特徴としている。
これによって、捨牌を容易に識別できるようになり、スムーズで迅速なゲームの進行を図ることができる。
【００１０】
また本考案は、前記牌保持面の下辺付近に、長手方向に伸びる牌載置用下レール部が形成され、前記牌保持面の中央付近に、長手方向に伸びる牌載置用中央レール部が形成され、前記牌保持面の上辺付近に、長手方向に伸びる上レール部が形成され、前記牌載置用下レール部から前記牌載置用中央レール部に至る凹状部分が第２載置部であり、前記牌載置用中央レール部から前記上レール部に至る凹状部分が第１載置部であることを特徴としている。
これによって、第１，第２載置部に、確実に牌を収納して保持することができ、牌の取扱いが容易になり、また操作性が良くなる。
【００１１】
また本考案は、前記牌保持面の左右両側辺の内の何れか一方の側辺付近に縦レール部を形成し、前記牌保持面の他方の側辺部分は、前記第１、第２載置部に載置した牌を排出する排出部としたことを特徴としている。
これによって、スムーズに牌を排出することができ、牌の取扱いが容易になって操作性が向上する。
【００１２】
また本考案は、前記縦レール部が、手によってこの麻雀牌保持具を把持する把持部であり、且つ前記牌載置用下レール部と前記牌載置用中央レール部と前記上レールよりも高い高さ寸法に形成されていることを特徴としている。
これによって、縦レール部側の部分を手に持って麻雀牌保持具を傾けて牌を排出する際に、最も縦レール部側に収納されていた牌が手によって押圧されることがなくなり、すべての牌をスムーズに排出することができる。
【考案の効果】
【００１３】
本考案によれば、狭い場所でもプレーすることができ、同時に、牌本来の感触（重量感や厚み感等）が得られ、また牌の取扱いが容易で操作性が良く、これらのことから麻雀をプレーしている実感が失われず、また迅速なプレーを行うことができ、さらにゲームのやり易さの向上を図ることができる。
【図面の簡単な説明】
【００１４】
【図１】麻雀牌保持具１の斜視図である。
【図２】麻雀牌保持具１の側面図である。
【図３】麻雀牌保持具１の正面図である。
【図４】麻雀牌保持具１の使用方法説明図である。
【図５】麻雀牌保持具１の使用方法説明図である。
【図６】捨牌トレイ５０の斜視図である。
【図７】麻雀牌保持具１の使用方法説明図である。
【考案を実施するための形態】
【００１５】
以下、本考案の実施形態を図面を参照して詳細に説明する。
図１は本考案の一実施形態にかかる麻雀牌保持具１の斜視図、図２は麻雀牌保持具１の側面図、図３は麻雀牌保持具１の正面図である。なお、図１に示す麻雀牌保持具１には、図３に示す麻雀牌保持具１の表示ａ１〜ａ７の記載を省略している。
【００１６】
これらの図に示すように、麻雀牌保持具１は、配牌された牌を保持するものであり、横長の略平板状であって、その一方の面を牌保持面１０としている。麻雀牌保持具１の材質は、所定の強度があって、軽いものが好ましく、例えば、バルサ材や合成樹脂材等が好ましいが、これに限定されるものではない。そして牌保持面１０の下辺付近には、下辺に沿うように、長手方向（横方向）の略全幅にわたって伸びる牌載置用下レール部１１が形成されている。牌載置用下レール部１１の高さ寸法は、この麻雀牌保持具１に載置する牌Ｓの厚みと略同一の厚み寸法に形成されている。
【００１７】
前記牌保持面１０の中央付近には、前記牌載置用下レール部１１と平行に、長手方向に伸びる牌載置用中央レール部１３が形成されている。牌載置用中央レール部１３の高さ寸法は、図２に示すように、前記牌載置用下レール部１１よりも少し低いが、牌を載置するのに十分な高さ寸法に形成されている。
【００１８】
前記牌保持面１０の上辺付近には、上辺に沿うように、また前記牌載置用下レール部１１と平行に、長手方向に伸びる上レール部１５が形成されている。上レール部１５の高さ寸法は、図２に示すように、前記牌載置用中央レール部１３よりも少し低い高さ寸法に形成されている。
【００１９】
そして、牌載置用下レール部１１と牌載置用中央レール部１３間の幅（高さ方向の離間距離）と、牌載置用中央レール部１３と上レール部１５間の幅（高さ方向の離間距離）は、この実施形態では同一で、何れも少なくとも牌の高さ寸法よりも長い寸法に形成されている。また牌載置用下レール部１１から牌載置用中央レール部１３に至る凹状部分を牌の第２載置部１９とし、一方、牌載置用中央レール部１３から上レール部１５に至る凹状部分を牌の第１載置部１７としている。第２載置部１９は、配牌された牌の内で主要と考える牌を載置する載置部として用いられ、第１載置部１７は、配牌された牌の内で不要と考える牌を載置する載置部として用いられる。
【００２０】
前記牌保持面１０に向かって左側の側辺（縦辺）付近には、１本の縦レール部２１が形成されている。縦レール部２１は、手によってこの麻雀牌保持具１を把持する把持部である。またこの縦レール部２１は、前記牌載置用下レール部１１よりも高い高さ寸法（従って、牌載置用中央レール部１３や上レール１５よりも高い高さ寸法）に形成されている。
【００２１】
また前記牌保持面１０の向かって右側の側辺部分は、牌保持面１０と同一面のままとなっており、これらの部分を、前記第１，第２載置部１７，１９に載置した牌を排出する排出部２３，２５としている。
【００２２】
また麻雀牌保持具１の裏面（牌保持面１０の反対側の面）の下部中央には、図２に示すように、支持脚２７が設けられている。支持脚２７は、麻雀牌保持具１をテーブル上等に載置した際に、麻雀牌保持具１全体が所定角度斜めに傾斜した状態で立てられるようにするための脚である。
【００２３】
ところで、図３に示すように、第１，第２載置部１７，１９の底面には、各配牌の置くべき推奨位置が表示されている（もちろん、実際に配牌を置くのはプレーヤー自身の判断による）。すなわち例えば、第２載置部１９は主要と考える牌を載置する部分なので、その左側から、「頭」となる牌の載置を推奨する表示ａ１、次に出来上がったか又は待っているべき牌の載置を推奨する表示ａ２、次に５番目に捨てるべき牌の載置を推奨する表示ａ３、次に４番目に捨てるべき牌の載置を推奨する表示ａ４、を表示している。一方、第１載置部１７は不要と考える牌を載置する部分なので、その右側の上部から、３番目に捨てるべき牌の載置を推奨する表示ａ５、次に２番目に捨てるべき牌の載置を推奨する表示ａ６、次に１番目に捨てるべき牌の載置を推奨する表示ａ７、を表示している。これによって、推奨位置に牌を配置し易くなるので、よりゲームが行い易くなる。
【００２４】
また、第２載置部１９の左端から１３枚の牌を詰めて載置した際の、もっとも右側の牌の右辺が位置する部分を示す牌数確認マークｂ１を、牌載置用下レール部１１の上端辺に表示している。これによって、配牌の数を常に容易に確認することができる。
【００２５】
次に、上記麻雀牌保持具１の使用方法について説明する。この例では、麻雀卓を用いないで、小さなテーブルを４人で囲んでゲームを行う場合について説明する。即ち、図５に示すように、テーブルＴａを囲んで４人のプレーヤーＰ１，Ｐ２，Ｐ３，Ｐ４が着座する。全ての牌は、２つの牌収納袋３１，３３内に、２つに分割して収納されている。そして、隣り合うプレーヤーＰ１，Ｐ２の間とプレーヤーＰ３，Ｐ４の間に牌収納袋３１，３３を１つずつ配置する。牌収納袋３１，３３をテーブルＴａの中央に置かないのは、これを中央に置くと、他人の捨牌が見えにくくなるためである。またテーブルＴａには、各プレーヤーＰ１〜Ｐ４用の４つの捨牌トレイ５０を載置する。捨牌トレイ５０は、図６に示すように、矩形状の底板５１の外周３辺に、上方向に突出する側壁５３を設け、側壁５３を設けていない辺を牌排出部５５として構成されている。
【００２６】
そして、プレーヤーＰ１，Ｐ２は牌収納袋３１から、プレーヤーＰ３，Ｐ４は牌収納袋３３から、それぞれ牌を取り出して、各自の麻雀牌保持具１に収納する。即ち、本来であれば、麻雀卓上に牌山を積み上げて、この牌山から４枚ずつ配牌を取っていくが、この例の場合は、牌山を作らず、直接牌収納袋３１，３３から配牌を取っていく。またテーブルＴａの中央には、上下２段に重ねた１列の牌を１４枚配置し、その内の１枚を上側に開いてこの牌をドラとする。図４は、１４枚の牌Ｓを取り出して麻雀牌保持具１に収納した上で、最も不要な１枚を捨て（捨牌は図５に示すように自分の前の捨牌トレイ５０内に載置する）、さらにその後のプレーがやり易いように、各牌Ｓの収納位置を置き換えた状態を示す図である。同図に示すように、まず、第２載置部１９に１３枚の牌Ｓを一旦全て収納し、その内の不要となる可能性のより高い牌Ｓを第１載置部１７に移しておく。牌Ｓを収納した麻雀牌保持具１は、例えば図５に示すように、各プレーヤーＰ１〜Ｐ４が手で持って、自分の側に向けるように立てることで、自分の配牌を自分のみが見ることができる。また、この麻雀牌保持具１をテーブルＴａにおいて立てても良いことは言うまでもない。この場合も、麻雀牌保持具１は自分側に向いているので、自分の配牌を他の人に見られることはない。
【００２７】
次に、自分の番が回ってきたときに、牌収納袋３１（３３）から１枚の牌を取り出し、不要な牌を１枚、捨牌トレイ５０上に捨てる。以上の操作を、何れかのプレーヤーＰ１〜Ｐ４が上がるまで繰り返して行う。何れかのプレーヤーＰ１〜Ｐ４が上がると、そのゲームは終了となるので、各麻雀牌保持具１に載置した全ての牌と、捨牌トレイ５０上に捨てた全ての牌を、牌収納袋３１，３３に戻す。このとき、図７に示すように、プレーヤーＰ１〜Ｐ４は、麻雀牌保持具１の縦レール部２１の部分（麻雀牌保持具１の一端部）を片手で持ち、排出部２３，２５の部分を牌収納袋３１（３３）の上部開口に向けて下方に傾ければ、第１，第２載置部１７，１９内の全ての牌Ｓは、牌収納袋３１（３３）内に収納される。このとき、第１，第２載置部１７，１９の上下には、牌載置用下レール部１１と牌載置用中央レール部１３と上レール部１５があるので、排出部２３，２５以外の部分から牌が落ちることはなく、確実に牌収納袋３１（３３）内に牌Ｓを収納していくことができる。またこのとき、第２載置部１９内の最も縦レール部２１に近い側に収納されていた牌Ｓは、縦レール部２１を掴んだ手によって押えられ、麻雀牌保持具１を傾けても排出されない恐れがあるが、この麻雀牌保持具１においては、縦レール部２１の高さを、牌載置用下レール部１１よりも高い高さ寸法、従って、牌Ｓの厚みよりも高い高さ寸法に構成したので、掴んだ手と牌の間に隙間が生じ易くなり、これによって前記牌Ｓについても押えられず、これを容易に排出することができる。一方、捨牌トレイ５０上の捨牌は、その牌排出部５５側を下に向けるように傾ければ、全て牌排出部５５から落下し、その下側に牌収納袋３１（３３）の開口を配置しておけば、その中に容易に収納することができる。
【００２８】
なお上記実施形態の場合、捨牌トレイ５０を用いているので、捨牌をテーブルＴａ上等に直接置く必要がなく、例えば、ソファー等の不安定な場所でもその上に捨牌トレイ５０を置くことで、安定して捨牌を置くことができる。従って、ドラさえ分かっていれば、テーブルＴａは不要である。
【００２９】
なお上記使用方法はその一例であり、他の各種異なる使用方法であっても良い。例えば、麻雀卓を用いても良いし、牌収納袋３１（３３）は１つ又は３つ以上であっても良いし、４人以外の人数でプレーしても良いし、例えば旅客機等の乗り物の座席に１列に並んで座った状態でプレーしても良い等、種々の使用方法が考えられる。
【００３０】
以上本考案の実施形態を説明したが、本考案は上記実施形態に限定されるものではなく、実用新案登録請求の範囲、及び明細書と図面に記載された技術的思想の範囲内において種々の変形が可能である。なお直接明細書及び図面に記載がない何れの形状や構造や材質であっても、本願考案の作用・効果を奏する以上、本願考案の技術的思想の範囲内である。例えば上記例では、牌保持面の下側に設けた第２載置部に、配牌された牌の内で主要と考える牌を載置し、牌保持面の上側に設けた第１載置部に、配牌された牌の内で不要と考える牌を載置したが、第１載置部に、配牌された牌の内で主要と考える牌を載置し、第２載置部に、配牌された牌の内で不要と考える牌を載置してもよい。また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本考案の実施形態は上記記載及び各図を組み合わせた一つの実施形態に限定されるものではない。
【符号の説明】
【００３１】
１  麻雀牌保持具
１０  牌保持面
１１  牌載置用下レール部
１３  牌載置用中央レール部
１５  上レール部
１７  第１載置部
１９  第２載置部
２１  縦レール部（把持部）
２３，２５  排出部
Ｓ  牌
【図１】
0003208841.tif 000003
【図２】
0003208841.tif 000004
【図３】
0003208841.tif 000005
【図４】
0003208841.tif 000006
【図５】
0003208841.tif 000007
【図６】
0003208841.tif 000008
【図７】
0003208841.tif 000009